Podtech/llm-jp-corpus-v4-ja_patent huggingface dataset:
(57)【要約】【課題】車載カメラを製造する際に、ピント調整の作業が不可欠である。ピント調整の作業時間を短くすることで、作業効率化を図り、生産能力を上げるためのピント調整方法を提案する。【解決手段】レンズ及び、レンズ保持部材からねじ山を除去する。その代用として、レンズを固定するための仮止め構造を、レンジ保持部材に追加する。【選択図】図3
2015138116.tif 000002
【特許請求の範囲】
【請求項１】
少なくとも1つ以上の撮像部を備え、それぞれの撮像部ではレンズを用いてピントを調節する機構を備えた車載カメラ装置。
【請求項２】
前記レンズを保持するために保持部材を有し、保持部材にてレンズを固定する機構を備えた車載カメラ装置。
【請求項３】
前記保持部材に、前記レンズを仮固定する機構及び、本固定する機構を備えた、車載カメラ装置。
【発明の詳細な説明】
【技術分野】
【０００１】
車載カメラ
【背景技術】
【０００２】
近年、車載安全装置の一つとして、外界認識センサである車載カメラ装置を用いた技術開発が進んでいる。車載カメラ装置としてすでに実用化されている技術としては、撮像素子を一つ用いた単眼カメラや、撮像素子を二つ用いたステレオカメラが存在する。
どのカメラにおいても、撮像素子だけでは外界認識処理を行えず、レンズを用いて焦点距離を調整し、製造過程、もしくは車両に取り付けられた状態でピント調整を行う必要がある。ピント調整の方法には、特許文献1のような、レンズ及び、レンズ保持部材にねじ山を設け、その嵌めあいによりピント調整を行う手法が知られている。
【先行技術文献】
【特許文献】
【０００３】
【特許文献１】特開2012−113185
【発明の概要】
【発明が解決しようとする課題】
【０００４】
レンズとレンズ保持部材にねじ山を設け、その嵌め合わせによりピント調整を行った場合、レンズを回しながらピント調整を行うことになるため、作業時間がかかってしまう。また、レンズを回すための専用治具が必要になる場合があり、作業性が悪い。
【課題を解決するための手段】
【０００５】
レンズ及び、レンズ保持部材からねじ山を除去する。その代用として、レンズを固定するための仮止め構造を、レンジ保持部材に追加する。
【発明の効果】
【０００６】
レンズ保持部材及び、レンズにねじ山を設けた構造の場合、ピント調整時間はおよそ10sと仮定する。
今回提案する仮止め構造でのピント調整時間は3sと考える。10000台/月の生産能力と仮定すると、
7s×10000台＝70000s＝20hour
1万台/月生産だと、24hourで500台の生産能力であるので、20hourで400台生産可能である。
（10400-10000）/10000  ×100  ＝  4％
本構成の仮止め構造を導入することで、4％の生産能力向上が見込める。
【図面の簡単な説明】
【０００７】
【図１】1つ以上の撮像部を有した車載カメラ装置の模式図である
【図２】レンズ保持構造の組み立て図である
【図３】レンズ保持構造（実施例1）の完成図である
【図４】レンズ保持構造（実施例2）の完成図である
【発明を実施するための形態】
【実施例１】
【０００８】
図1に、1つ以上の撮像部を備えた車載カメラの図を示す。一方に撮像素子備えた撮像部101と、もう一方にもう一つの撮像素子を備えた撮像部201と、前記撮像部101、201を固定するため、及び制御基板を内部にもつステー301と、前記撮像部101のピントを調整するためのレンズ102と、レンズ102を保持するためのレンズ保持部材103と、前記撮像部201のピントを調整するためのレンズ202と、レンズ202を保持するためのレンズ保持部材203とを有した車載カメラ装置に関する発明である。
【０００９】
図2に、レンズ保持構造の分解図を示す。ピント調整方法としては、まずレンズ102をレンズ保持部材103の奥側から挿入する。その際、レンズ仮止めはさみ104は外側の柄の部分を握って、レンズが通過できる状態にしながら挿入する。次に、前記柄の部分を離し、レンズを仮固定しておく。この状態でレンズ保持部材103を撮像部に取り付ける。取り付け後、レンズ仮止めはさみ104の柄の部分と、レンズのピント調整用つまみ105を掴んで、レンズを前後に動かしながらピントを調整する。ピント調整後は、レンズ固定用ネジ106にて本固定を行う。
【００１０】
図2ではレンズ保持部材103とレンズ仮止めはさみ104を分けて記載しているが、実際は別体ではなく同体である。組みあがった状態の図を図3に示す。
【実施例２】
【００１１】
実施例1では、レンズ仮止めはさみ104を、レンズ保持部材103の下側に取り付けていたが、図4に示すように、横側につけてもよい。
【符号の説明】
【００１２】
101  撮像部
102  レンズ
103  レンズ保持部材
104  レンズ仮止めはさみ
105  ピント調整用つまみ
106  レンズ固定用ネジ
201  撮像部
202  レンズ
203  レンズ保持部材
【図１】
2015138116.tif 000003
【図２】
2015138116.tif 000004
【図３】
2015138116.tif 000005
【図４】
2015138116.tif 000006
(57)【要約】【課題】従来の発炎筒は使用時に路面の傾斜や風など外的要因により所定の位置より転がり移動し、安定した使用が出来ない場面があった。また、転がり防止の作用がある他の特許出願や実用新案出願の物も別途、器具や部材などの装着が必要であり従来品と同じ携帯性は無かった。【解決手段】発炎筒本体並びに収納ケースに加工を施す方法により車両装着時など従来と同じ取り付け方法で同等の携帯性を維持できる。また、転がり防止機構がシンプルで使用が容易である。追加で装着する部品などが殆ど無い為、使用後の残留物も通常と変わらず製品作成の原材料も抑える事が出来る。【選択図】図４
2015138542.tif 000002
【特許請求の範囲】
【請求項１】
発炎筒の使用時に転がりを防止する構造を保持具や支持台などを使用せず発煙灯本体並びに収納ケースに加工を施す方法を用いた発煙灯。
【発明の詳細な説明】
【技術分野】
【０００１】本発明は、自動車用緊急保安炎筒及び道路作業用発炎筒並びに信号焔管類に関する。
【背景技術】
【０００２】従来の発炎筒の転がりを防止する方法は、使用時発炎筒本体に部材及び保持具など装着する方式である。
【先行技術】
【０００３】公開番号：特許公開２００４−１３２６７５公開日、  発明の名称：発炎筒。
【０００４】登録実用新案第３１５１６８４号、考案の名称：発炎筒用転がり防止部材。
【０００５】登録実用新案第３０９９１３１号、考案の名称：発炎筒。
【発明の概要】
【発明が解決しようとする課題】
【０００６】以上先行技術では発炎筒本体に装着する部材及び保持具を常備する必要がある。【０００７】本発明は発炎筒を、従来どおりの携帯性で転がりを防止する為の付属品の装着を不要とする事を目的とする。
【課題を解決する為の手段】
【０００８】本発明は発炎筒本体の一部を加工し作用させる事により従来通りの携帯性で転がりを防止することを可能とした。
【０００９】発炎筒本体の一部を利用する為、使用時の別途付属品装着が不要になる。
【発明の効果】
車載の際は、従来どおりの取り付けで装備でき、加工部分を作用させる事により転がり防止の効果を得る事ができる。
【図面の簡単な説明】
【００１０】
【図１】発炎筒本体  側面
【図２】発炎筒本体  裏面
【図３】発炎筒本体  裏面  使用時開放
【図４】発炎筒本体  側面  使用時
【発明を実施する為の形態】
【００１１】以下、本発明の実施の形態を図１〜図４に基づいて説明する。
【００１２】図においては、１、２は使用しない時は、通常の発炎筒とほぼ同じケースの一部である。
【００１３】１、２、部分には使用時に速やかに適切な開放ができるような加工が施してある。
【００１４】使用時は開放した１、２、部分が作用し発炎筒の転がりを防止する。
【符号の説明】
【００１５】１  発炎筒使用時に転がりを防止し本体を安定させる部分の片側。
２  発炎筒使用時に転がりを防止し本体を安定させる部分の片側。
３  使用時開放する部分。
【図１】
2015138542.tif 000003
【図２】
2015138542.tif 000004
【図３】
2015138542.tif 000005
【図４】
2015138542.tif 000006
(57)【要約】【課題】ここから発明の課題を簡潔に記載して下さい。従来の仕入先のリサーチの画像検索の方法は、一般の人がブログに貼った写真などＷｅｂ上にある様々な写真が表示されるものであった【解決手段】ここから発明の解決手段を簡潔に記載して下さい。本発明は、このような従来のリサーチの画像検索の問題を解決しようとしたものであり、日本のＥＣサイトの商品画像と一致した商品画像の世界中のオンラインストアのみを表示させることにより上述した問題を防止することが出来ました。【選択図】なし【特許請求の範囲】
【請求項１】
世界のオンラインストアから商品画像を抽出し、日本のＥＣサイトの商品画像と一致した商品画像の世界中のオンラインストアのみを表示させる機能
【発明の詳細な説明】
【技術分野】
【０００１】本発明は、世界のオンラインストアから商品画像を抽出し、日本のＥＣサイトの商品画像と一致した商品画像の世界中のオンラインストアのみを表示させる機能に関する。
【背景技術】
【０００２】従来の仕入先のリサーチの画像検索の方法は、一般の人がブログに貼った写真などＷｅｂ上にある様々な写真が表示されるものであった
【発明の概要】
【発明が解決しようとする課題】
【０００３】従来の仕入先のリサーチの画像検索の方法は、一般の人がブログに貼った写真などＷｅｂ上にある様々な写真が表示されるものであった
【課題を解決するための手段】
【０００４】本発明は、このような従来のリサーチの画像検索の問題を解決しようとしたものであり、効率的にＥＣサイトの商品画像から仕入先を発見することを目的するものである。
【発明の効果】
【０００５】上述したように本発明の転売画像検索君は、日本のＥＣサイトの商品画像と一致した商品画像の世界中のオンラインストアのみを表示させることが出来、効率的なリサーチを提供することが出来る。
(57)【要約】【課題】電気用品安全法の適用を受けることを必要とせず、しかもペットボトルを使用することによって、仮設コンセントに対して雨による水滴の侵入を防ぎ、漏電を防止することを課題にする。【解決手段】ペットボトル本体の底部部分を輪切りし、前記ペットボトル本体に係るキャップ部に電気ケーブルを挿入できるように孔部を設ける。前記キャップ部に電気ケーブルを通した仮設コンセントに対して前記ペットボトル本体を前記キャップ部に螺合することで接続する。仮設コンセントに漏電防止用の防雨カバーすることで漏電ブレーカーの動作を防ぐことができる。【選択図】図１
2015176834.tif 000002
【特許請求の範囲】
【請求項１】
ペットボトル本体の底部部分を輪切りし、前記ペットボトル本体に係るキャップ部に電気ケーブルを挿入できるように孔部を設けて、前記キャップ部に電気ケーブルを通した仮設コンセントに対して前記ペットボトル本体を前記キャップ部に螺合することで接続して、
前記キャップ部に係る孔部の周りにシールをしたことを特徴とする漏電防止用の防雨カバー。
【請求項２】
ペットボトル本体の底部部分を輪切りし、前記ペットボトル本体に係るキャップ部に電気ケーブルを挿入できるように孔部を設けて、前記電気ケーブルを前記孔部に通して、前記仮設コンセントに前記電気ケーブルを接続して、前記ペットボトル本体を前記キャップ部に螺合することで接続して前記キャップ部に係る孔部の周りにシールをしたことを特徴とする漏電防止用の防雨カバー取付方法。
【発明の詳細な説明】
【技術分野】
【０００１】
本発明は、建築設備および工事用仮設電気設備の屋内外に使用する電気コンセントを主として雨による漏電を防止するとともに、雪、風等の天候から当該コンセントの破損を防ぐことも兼ね備えている.
【背景技術】
【０００２】
従来は、屋外に設置された仮設分電盤について、前記仮設分電盤とは別に雨を防ぐ仮設物を設置して漏電を防いでいた。
しかし、仮設物を設置しても完全を期するものではないので、風雨により、仮設コンセントに雨があたり、漏電していた。
【０００３】
また、仮設配線の接続部や、仮設照明を雨から守るカバーをペットボトル(PET bottle；ポリエチレンテレフタレート製の瓶)で代用するため、ペットボトルの蓋に取り付けて使用する部品で本体を上から吊るすためのフックと仮設電球固定用フックおよび熱気逃がしのための通気孔を備えたものが考えられる。（例えば、特許文献１参照）
【先行技術文献】
【特許文献】
【０００４】
【特許文献１】特開２００１−３２７０３４号公報
【発明の概要】
【発明が解決しようとする課題】
【０００５】
しかし、前述のとおりペットボルトの蓋に取付けて使用して本体を上からフックとして使用しているため、防雨のときに仮設コンセントをペットボトルの中に設けるには空間的に難しく、また、コンセント用の配線についてもペットボトル内に入れるには難があるという問題がある。
【０００６】
ペットボトル自体を電気配線の接続部（ジョイント）にすると、電気用品安全法（PSE）の適用を受けなければならず、単にペットボトル内において、電気配線の接続部に適用することはできない。
【０００７】
本発明は、前記問題点を解決するためになされたものであって、
電気用品安全法の適用を受けることを必要とせず、しかもペットボトルを使用することによって、仮設コンセントに対して雨による水滴の侵入を防ぎ、漏電を防止することを課題にする。
【課題を解決するための手段】
【０００８】
請求項１に記載の発明は、ペットボトル本体の底部部分を輪切りし、前記ペットボトル本体に係るキャップ部に電気ケーブルを挿入できるように孔部を設けて、前記キャップ部に電気ケーブルを通した仮設コンセントに対して前記ペットボトル本体を前記キャップ部に螺合することで接続して、前記キャップ部に係る孔部の周りにシールをしたことを特徴としている。
【０００９】
請求項２に記載の発明は、ペットボトルの底部部分を輪切りにしたペットボトル本体に、前記ペットボトル本体に係るキャップ部に電気ケーブルを挿入できるように孔部を設けて、前記電気ケーブルを前記孔部に通して、前記仮設コンセントに前記電気ケーブルを接続して、前記ペットボトル本体を前記キャップ部に螺合することで接続して、前記キャップ部に係る孔部の周りにシールをしたことを特徴としている。
【発明の効果】
【００１０】
本発明は、キャップ部にペットボトル本体を螺合して接続することで、雨水を防ぎ、雨水がコンセントの電極に侵入して漏電ブレーカーを動作させることを防止することができる。
既存のペットボトルを利用するために省資源・省エネに貢献することができ、原価がほとんどかからない。
【００１１】
また、仮設コンセントにペットボトル本体を防雨としてカバーするだけなので、電気用品安全法の適用を受けないで済む。
【図面の簡単な説明】
【００１２】
【図１】本発明の実施形態に係る漏電防止用の防雨カバーの実施例の縦断面図である。
【図２】本発明の実施形態に係る漏電防止用の防雨カバーの実施例の下面図である。
【図３】本発明の実施形態に係る漏電防止用の防雨カバーの実施例の上面図である。
【実施例】
【００１３】
本発明の実施形態に係る漏電防止用の防雨カバーについて、図面を参照しながら説明する。
【００１４】
この実施の形態に係る漏電防止用の防雨カバー１は、図１、図２および図３に示すように、ペットボトルの底部部分を輪切りにしたペットボトル本体２を仮設コンセント６に覆いカバーする。
【００１５】
図１は、ペットボトルに係るキャップ３の上面をカッター等で切断して孔部５を設けて、その孔部５に、電気ケーブル７を通して貫通し、そして、電気ケーブル７を仮設コンセント６に電気的に接続（ジョイント）する。
【００１６】
その後、仮設コンセント６の適切な頂部の位置へ前記キャップ３を電気ケーブル７に沿って移動して、前記ペットボトル本体２を前記キャップ部３に螺合することで接続する。
【００１７】
孔部５の部分で、前記キャップ部３と電気ケーブル７との隙間８にシールをして埋める。
この部分から漏水して仮設コンセント６の内部に水分が侵入すると漏電ブレーカーが動作してしまう。
【００１８】
図２は、ペットボトル本体２の輪切りした下端に、ビニルテープ４を貼ることによって、人間の手を切り傷等から保護しようとするものである。
【００１９】
なお、使用する電動ドリル、電動ノコなどの電気器具のプラグを仮設コンセント接続部９に電気的に接続して使用する。
【００２０】
図３は、孔部５と電線ケーブル７との隙間８に前記同様シールを行うことで、仮設コンセント６の内部に水分が侵入して漏電ブレーカーが動作することを防止するものである。
【符号の説明】
【００２１】
１  漏電防止用の防雨カバー
２  ペットボトル本体
３  キャップ部
４  ビニルテープ
５  孔部
６  仮設コンセント
７  電気ケーブル
８  隙間
９  仮設コンセント接続部
【図１】
2015176834.tif 000003
【図２】
2015176834.tif 000004
【図３】
2015176834.tif 000005
(57)【要約】【課題】振動等により、締め付けたナットが緩むという課題を、１個のナットで解決すること。【解決手段】ナットに薄板部を設けて、締め付け部１とロック部２が薄板部３で接続された形態のナット。締め付け部１を締め付けた後、ロック部２をねじ込むことにより、ナット全体として、雄ねじと雌ねじのバックラッシをなくし、締め付けたナットが緩まないようにする。さらに、薄板部３が変形して、その内側の雌ねじ部分が、雄ねじのねじ山に食い込む、このことにより、さらに緩み止めの効果が増す。また１個のナットであるので通常の作業後、ロック部２を少しねじ込む作業で済み、取付時間も少ない。【選択図】図１
2015059643.tif 000002
【特許請求の範囲】
【請求項１】
前後２箇所のナット部を、内面に雌ねじを有する薄板で繋いだ形状を特徴とするナット。
【発明の詳細な説明】
【技術分野】
【０００１】
本発明は、ナットに関するものであり、ナットの形状に工夫を加えることによって、締結後に緩み止めの効果があるようにしたものである。          
【背景技術】
【０００２】
従来より、緩み止めの例として特許文献１に開示されたものがある。また従来から使用されている、スプリングワッシャやダブルナットの方法がある。
【先行技術文献】
【特許文献】
【０００３】
【特許文献１】特許第４４９５８４９号
【発明の概要】
【発明が解決しようとする課題】
【０００４】
しかし特許文献１の方法は２個の部品で構成されている。したがって、取付け時にナットを締め付ける作業は２回となり時間がかかる。また構造も複雑である。また従来から知られている、スプリングワッシャを使用する方法やダブルナットを使用する方法では、振動等により、すぐに緩んでしまう。１個のナットで、このような問題を解決することを課題とする。
【課題を解決するための手段】
【０００５】
この課題を解決するため、請求項１の発明は次の技術的手段を講じた。即ち、本発明は、前後のナットの部分が内面に雌ねじ有する薄板状の状態でつながっている構造とした。ナットを締め付ける場合、先に締め付け部１で締め付ける。次にロック部２を締め付ける。このとき薄板部３は変形する。したがって、薄板巾Ｗ及び薄板部の厚さｔはロック部を締め付ける時、変形することが可能な寸法である。本発明は、このことを特徴とする。
【発明の効果】
【０００６】
本発明により、確実に緩み止めの効果がある。また、１つの部品であるので、取り付け作業が短縮できる効果もある。また、ロックされた状態は、薄板部の変形を、目視で確認できる効果もある。
【図面の簡単な説明】
【０００７】
【図１】ナットの斜視図である。
【図２】ナットの平面図である。
【図３】ナットの側面図である。
【図４】ナットの締め付け部を、締め付けた状態を示す図である。
【図５】ロック部を締め付けた状態を示す図である。
【発明を実施するための形態】
【０００８】
以下、本発明の実施の形態を図面に基づいて説明する。図１〜図３に示す本発明のナットは、締め付け部１とロック部２、薄板部３からなる。図４は、締め付け部１を締め付けた状態を示し、このとき、雄ねじと雌ねじのバックラッシはボルトの頭側になっている。次に図５は、ロック部２を締め付けた状態を示し、このとき、ロック部２のバックラッシはボルトの頭の反対側にできる。この状態は、薄板巾Ｗが縮み量ｗ分だけ小さくなるので、締め付け部１とロック部２間の雌ねじのピッチは小さくなっている。したがって、ナット全体としては、バックラッシのない状態で、雄ねじのねじ山を締め付け部１とロック部２の雌ねじで圧接した状態となり、緩み止めの効果が発揮される。またこのとき、薄板部３は変形して、薄板部３の内側の雌ねじが雄ねじのねじ山に食い込む状態となり、緩み止めの効果が増す。
【産業上の利用可能性】
【０００９】
本発明は、工業的に量産が可能であるため、産業上の利用可能性を有する。
【符号の説明】
【００１０】
１  締め付け部
２  ロック部
３  薄板部
Ｗ  薄板巾
ｔ  薄板部の厚さ
【図１】
2015059643.tif 000003
【図２】
2015059643.tif 000004
【図３】
2015059643.tif 000005
【図４】
2015059643.tif 000006
【図５】
2015059643.tif 000007
(57)【要約】【課題】床上に張り付けられた防水材を、効果的にはがし取るために、ホイールローダーに取り付けることのできる、アタッチメントを提供する。【解決手段】  ホイールローダーのリフトアーム（6）とバケットリンク（4）の先端にベースプレート（3）を連結ピン（10）にて取り付け、ベースプレートに固定された金属製筒（9）にブレードホルダー（2）の円柱部を差し込む、ブレードホルダー（2）にカッターブレード（1）を取り付ける。  以上の付け替え可能なアタッチメントを特徴とする。【選択図】図１
2015059319.tif 000002
【特許請求の範囲】
【請求項１】
ホイールローダーに取り付け、床上の対象物をはがし取る装置
【発明の詳細な説明】
【技術分野】
【０００１】
この発明は、汎用建設機械であるホイールローダーに本発明を取り付ける、アタッチメントに関するものである。
【背景技術】
【０００２】
従来床面に施工された舗装や防水層を床面を痛めることなく除去するには、パワーショベルのバケットでこすり剥がす方法をとられていたが、パワーショベルでは舗装材の上面からこするため、十分に剥がすことができずまた、能率が悪かった。
【発明の概要】
【発明が解決しようとする課題】
【０００３】
これは以下の欠点があった。
従来床面に施工された舗装や防水層を床面を痛めることなく除去するには、パワーショベルのバケットでこすり剥がす方法をとられていたが、パワーショベルでは舗装材の上面からこするため、十分に剥がすことができずまた、能率が悪かった。
本発明は、以上のような欠点をなくすためになされたものである。
【課題を解決するための手段】
【０００４】
ホイールローダーのリフトアーム（6）とバケットリンク（4）の先端にベースプレート（3）を連結ピン（10）にて取り付け、ベースプレートに固定された金属製筒（9）にブレードホルダー（2）の円柱部を差し込む、ブレードホルダー（2）にカッターブレード（1）を取り付ける。
本発明は、以上の構成よりなるホイールローダー用アタッチメントである。
【発明の効果】
【０００５】
はがすためのベースマシンとして、全国で普及している汎用性の高い建設機械を、使用するため機械の確保が容易となり、また、機動性に優れているため大きな施工量を確保できる。さらに、ホイールローダーに通常使用されているバケットとはがし機アタッチメントとの交換も連結ピンの抜き差しだけで行えるため、専用機械とする必要がない。
【図面の簡単な説明】
【０００６】
【図１】本発明の斜視図である。
【図２】本発明をホイールローダーに組み付けた場合の全体図である。
【発明を実施するための形態】
【０００７】
以下、本発明を実施するための形態について説明する。
駆動機本体であるホイールローダーのバケットリンク先端及び、リフトアーム先端にベースプレートを取り付け連結ピンにてつなぐ。
ベースプレートに円筒状の金属製筒を取り付け固定する。
カッターブレードを挟み付けたブレードホルダーの円柱部を金属製筒を差し込む。
本発明は以上のような構造である。
これを使用するときは、ホイールローダーに取り付け連結されたカッターブレードを床面に押し当てホイールローダーを前進させて、対象物を押し剥がせば良い。
【実施例】
【０００８】
床上面にある撤去すべき舗装材や防水層に対して、本発明を取り付けたホイールローダーでもって、そのカッターブレードを床版面と舗装材との界面に当て、ホイールローダーの駆動トルクを使い、前進しながら連続的に押し剥がして行くものである。
【産業上の利用可能性】
【０００９】
利用される分野は、道路部門以外にスーパーやデパートなど大規模商業施設での弾性床材の剥がしや建物屋上の防水層の剥がしなどがある。
【符号の説明】
【００１０】
1  カッターブレード
2  ブレードホルダー
3  ベースプレート
4  バケットリンク
5  中間レバー
６  リフトアーム
7  ダンプシリンダー
8  リフトシリンダー
9  金属製筒
10  連結ピン
【図１】
2015059319.tif 000003
【図２】
2015059319.tif 000004